(57)【特許請求の範囲】
【請求項１】
犬の尻部に装着して肛門から排泄される糞を受ける袋を有する犬の糞処理具であって、犬の糞を収納する糞袋（２２）を有し、この糞袋（２２）の開口部（２４）の周りに円板リング状の鍔部（２１）を有する袋体（２）と、犬の肛門の周りに当てて装着される円板リング状のホルダ（１）とを有し、ホルダ（１）はその孔（１１）の周りに前記袋体（２）の鍔部（２１）を径方向に差し込んで保持する円板リング状の縁保持部（１２）を有し、この縁保持部（１２）は、その一部から前記袋体（２）の円板リング状の鍔部（２１）を着脱自在に挿入するため一部を開放した挿入部（１３）が形成され、さらにホルダ（１）の縁保持部（１２）の内周部分と袋体（２）の鍔部（２１）の外周部分とに、鍔部（２１）を縁保持部（１２）に挿入したときに互いに径方向に当たって掛かり合う隆起部（１４）、（２３）を有し、このホルダ（１）に、その変形を許容するためその径方向に切り込まれた切込み（１５）を有することを特徴とする犬の糞処理具。
【請求項２】
ホルダ（１）には、その縁保持部材（１２）に鍔部（２１）を装着した袋体（２）の糞袋（２２）を隠すカバー（３）が取り付けられていることを特徴とする請求項１に記載の犬の糞処理具。
【請求項３】
袋体（２）の鍔部（２１）は、袋体（２）の基部近くを挟んで閉じる切込み（２５）を有することを特徴とする請求項１または２に記載の犬の糞処理具。
【発明の詳細な説明】
【技術分野】
【０００１】
本発明は、犬が排泄する糞を落とさずに収納する糞袋を有し、この糞袋を犬の尻部に装着したホルダに着脱自在に装着、交換出来るようにした犬の糞処理具に関し、特に犬の尻部に装着したときに、目立ちにくく、違和感の少ない小形化可能な犬の糞処理具に関する。
【背景技術】
【０００２】
空前のペットブームと言われている昨今であり、特に犬を飼っている家は多く、一世帯で複数匹の犬を飼っている家も珍しくない。犬の飼い主にとって欠かせないのは、犬の散歩と糞の処理である。特に犬は、散歩等の運動を行っている時に排便する習性があり、必然的に散歩中に犬の排便による糞の処理は欠かせない。
【０００３】
犬の散歩には、公道や公園等を利用することが多く行われている。こうした原状のなかで、近年ペットの出入りを禁止している公園が数多く出てきている。その理由は飼い主が糞の後始末をしないので、他の公園利用者からの苦情が相次ぎ、公園内の立ち入りを禁止しているためである。
【０００４】
犬の糞の処理の原則は、回収した犬の糞を自宅に持ち帰り、糞はトイレに流し、回収のために使用した袋等は、一般ゴミとして処分するということである。こうした処理の原則が守られず、心ない飼い主による意図的とも思われる糞の放置がなされるため、犬の糞の被害が社会問題ともなっている。
【０００５】
公共の場で犬の糞の処理がずさんになる最大の原因は、その処理の面倒さにある。仮に、公道や公園で犬を散歩させるとき、犬の糞を処理するためにビニール袋や紙袋等を持参し、その中に犬が排泄した糞を回収するにしても、手間がかかる。また、糞を回収した後は、糞を回収した袋等を持ち歩かなければならない。しかも、犬の排便は散歩中に一度とは限らず、排便の都度別の袋等に犬の糞を回収しなければならない。心ない飼い主はこの労を惜しみ、犬の糞を公共の場所に放置し、他人に迷惑をかけている。
【０００６】
そこで、犬の糞の処理を容易にするため、棒の下端部に袋を取り付け、さらに挟着具を取り付けたりして、犬の糞を挟着具で挟むようにして袋に入れて処理する糞処理具等がこれまでにも提案されている。さらに、犬の腰部ないし尻部に糞取り具を装着し、犬の肛門から直接糞を糞袋に回収するようにしたもの等も提案されている。
しかし、何れも使い方が面倒であり、携行に不便であったり、犬に装着した時に違和感を与えるため、効果的な糞の回収が出来ない等の課題がある。
【特許文献１】特開平１０−６６４７０号公報
【特許文献２】特開平１０−７５６７８号公報
【特許文献３】特開平１０−１９１８２３号公報
【特許文献４】特開２００２−１４２５９４号公報
【特許文献５】実用新案登録第３０２１４２８号公報
【発明の開示】
【発明が解決しようとする課題】
【０００７】
公共の場での犬の糞による迷惑や被害が後を絶たないのは、第一には心ない飼い主のモラルの問題である。しかし、犬の糞の回収がより容易な用具が普及すれば、幾らかでもその問題の解消に資することが出来るものと考えられる。
本発明は、犬の糞処理に係る前述のような課題に鑑み、より容易に犬の糞処理が可能となるような犬の糞処理具を提供することを目的とする。
【課題を解決するための手段】
【０００８】
本発明では、前記の目的を達成するため、犬の肛門周りに違和感なく装着出来るホルダ１と、このホルダ１に着脱自在に装着出来、犬が排泄した糞を収納出来る糞袋２２を備えた袋体２とにより犬の糞処理具を構成した。そのため、袋体２には、糞袋２２の開口部周りを保持する円板リング状の鍔部２１を設け、ホルダ１には、前記袋体２の鍔部２１を着脱自在に装着出来る縁保持部１２を設けた。ホルダ１の縁保持部１２と袋体２の鍔部２１には、袋体２の鍔部２１をホルダ１の縁保持部１２に装着したとき、互いに径方向に掛かり合う隆起部１４、２３を設け、ホルダ１から袋体２が脱落しにくくした。
【０００９】
すなわち、本発明による犬の糞処理具は、犬の糞を収納する糞袋２２を有し、この糞袋２２の開口部２４の周りに円板リング状の鍔部２１を有する袋体２と、犬の肛門の周りに当てて装着される円板リング状のホルダ１とを有し、ホルダ１はその孔１１の周りに前記袋体２の鍔部２１を径方向に差し込んで保持する円板リング状の縁保持部１２を有し、この縁保持部１２は、その一部から前記袋体２の円板リング状の鍔部２１を着脱自在に挿入するため一部を開放した挿入部１３が形成され、さらにホルダ１の縁保持部１２の内周部分と袋体２の鍔部２１の外周部分とに、鍔部２１を縁保持部１２に挿入したときに互いに径方向に当たって掛かり合う隆起部１４、２３を有し、このホルダ１に、その変形を許容するためその径方向に切り込まれた切込み１５を有するものである。
【００１０】
このような本発明による犬の糞処理具では、犬の肛門の周りに当てて装着されるホルダ１の縁保持部１２に、その挿入部１３から袋体２の円板リング状の鍔部２１を挿入し、その逆に抜き取ることによって、糞袋２２を有する袋体２がホルダ１に着脱自在に装着される。このため、犬が排便した時に糞を収納した袋体２のみをホルダ１から外して容易に回収することが出来る。
【００１１】
さらに、ホルダ１の縁保持部１２の内周部分と袋体２の鍔部２１の外周部分とに、鍔部２１を縁保持部１２に挿入したときに互いに径方向に当たって掛かり合う隆起部１４、２３を有するため、犬が排便した時に糞の重みで袋体２がホルダ１から簡単に脱落してしまわない。また、ホルダ１に、その変形を許容するためその径方向に切り込まれた切込み１５を有するので、ホルダ１が犬の肛門周りで或る程度自由に変形し、犬に装着した状態での違和感を小さくすることが出来る。
【００１２】
このような犬の糞処理具において、ホルダ１が、その縁保持部材１２に鍔部２１を装着した袋体２の糞袋２２を隠すカバー３が取り付けられていると、糞袋２２が外部に見えない。さらに、袋体２の鍔部２１に切込み２５を有すると、排便後の袋体２の回収時に、鍔部２１の切込み２５で袋体２の基部近くを挟んで閉じて回収出来るため、糞を収納した袋体２を容易に回収することが出来る。そして、糞袋２２から切込み２５を引き抜けば、糞袋２２の開放も容易であるため、糞袋２２に収納した糞の廃棄も容易である。
【発明の効果】
【００１３】
以上のように、本発明による犬の糞処理具は、犬の尻部に違和感無く装着出来ると共に、犬の糞を収納する糞袋２２を有する袋体２をホルダ１に着脱自在に取り付けることが出来るので、犬が排便した後の糞の回収とその後の新たな袋体２の装着が容易に行える。しかも、犬が排便した時に糞の重みで袋体２がホルダ１から簡単に脱落してしまわない。
【発明を実施するための最良の形態】
【００１４】
本発明では、犬の肛門周りに違和感なく装着出来るホルダ１と、このホルダ１に着脱自在に装着出来、犬が排泄した糞を収納出来る糞袋２２を備えた袋体２とにより犬の糞処理具を構成し、犬が排便したとき、犬の糞が入った袋体２のみ回収することが出来るようにした。しかも、袋体２の鍔部２１をホルダ１の縁保持部１２に装着したとき、互いに径方向に掛かり合う隆起部１４、２３を設け、犬の糞の重み等で、ホルダ１から袋体２が脱落しにくくした。
以下、このような本発明の実施例について、図面を参照しながら具体例を挙げて詳細に説明する。
【００１５】
図１は、本発明による犬の糞処理具の一実施例を示すもので、各要素を分離し、上下を逆にして示している。この図１に示すように、犬の糞処理具は、ホルダ１、袋体２及びカバー３とを有する。
ホルダ１は、中心に円形の孔１１を有し、基本的に円板リング形状をしている。このホルダ１には、その中央部から孔１１の周囲に迫り出すように設けた縁保持部１２が一体に設けられている。この縁保持部１２の全周のうちの一部は挿入部１３として開放され、この挿入部１３から後述する袋体２の鍔部２１を縁保持部１２の径方向にスライドさせることで、袋体２の鍔部２１を縁保持部１２の中に挿入して装着出来る。縁保持部１２の内周には、ホルダ１の孔１１の縁側に向けて隆起した隆起部１４を有する。
【００１６】
このホルダ１の対向する両側からは、紐状の装着用バンド１６が２本ずつ延設されている。図示の例では、ホルダ１に設けた小孔を縫うようにして紐状の装着用バンド１６が取り付けられている。
さらに、ホルダ１の外周部分には、放射状に複数の切込み１５が設けられ、図示の例では、６本の切込みが概ね等角度間隔で設けられている。この切込み１５の基部は、裂断しにくいように小円孔となっており、その先端はホルダ１の外周に達している。
【００１７】
ホルダ１の前記装着用バンド１６が２本ずつ延設された個所から９０゜離れた位置には、凹部１７が設けられている。この凹部１７は、後述するように、ホルダ１を犬の肛門周りに装着するとき、犬の尻尾を避けるための部分である。
このホルダ１は、軟質性で且つ撥水性のある樹脂材料により形成される。ホルダ１は縁保持部１２を含めてその全体が一体成型されているのが好ましい。
【００１８】
袋体２は、円板リング状の鍔部２１の内周に、一端が閉じた袋である糞袋２２の開口部２４の周囲を固着したものである。
鍔部２１は、軟質性で且つ撥水性のある樹脂材料により形成されたもので、その一部に径方向に切込み２５が設けられている。この切込み２５の基部は、裂断しにくいように小円孔となっており、その先端は鍔部２１の外周に達している。さらに、袋体２の鍔部２１の外周には、糞袋２２側に向けて隆起した隆起部２３が形成されている。鍔部２１の外径は、前記ホルダ１の縁保持部１２の内径より小さい。
糞袋２２は鍔部２１と一体のものか、或いは接着、融着されたもので、変形可能で丈夫なものがよい。例えば、樹脂やゴム等で形成される。
【００１９】
カバー３は、或る程度のコシのある樹脂シートや防水紙シート等により作られたものである。このカバー３は、その一端の取付部３１において前記ホルダ１の凹部１７の両側に取り付けられる。そのため、カバー３の一端の取付部３１にも凹部３２が設けられ、この凹部３２がホルダ１の凹部１７と位置合わせされた状態で取り付けられる。
【００２０】
カバー３の前記取付部３１から延びた中央部３３は、帯状であり、その両側にフラップ状の側カバー３７と折り畳み片３５が一体に延設されている。側カバー３７が取付部３１に近い側にあり、折り畳み片３５が取付部３１から遠い先端側にある。これら側カバー３７及び折り畳み片３５と中央部３３との境界線は折線となっており、この折線で側カバー３７と折り畳み片３５とを図１において手前に折り曲げることが出来る。側カバー３７は円弧状の縁を有しており、折り畳み片３５は台形である。
【００２１】
側カバー３７及び折り畳み片３５と中央部３３との間の折線に沿ってゴム紐等の弾性を有する整形紐２４が固定されている。
さらに、カバー３の中央部３３の先端側は折り曲げ片３６となっており、その両側には折り畳み片３５や整形紐２４は設けられていない。この折り曲げ片３６は、幅方向に３条の平行な折線を有し、これらの折線から折り畳み片３５が図１において手前に折り曲げて巻くことが出来る。
【００２２】
図２〜図４は、前記のホルダ１にカバー３を取り付け、袋体２をホルダ１に装着した状態を示す。
前述したように、カバー３は、その一端の取付部３１において前記ホルダ１の凹部１７の両側に取り付けられている。また、袋体２は、その鍔部２１をホルダ１の縁保持部１２の挿入部１３から径方向にスライドさせることで、同鍔部２１をホルダ１の縁保持部１２の中に挿入し、装着されている。また、逆に袋体２の鍔部２１をホルダ１の縁保持部１２の挿入部１３から径方向にスライドさせて抜き取ることで、袋体２をホルダ１から取り外すことが出来る。
【００２３】
前記のようにして袋体２をホルダ１に取り付けた状態では、図３に示すように、ホルダ１の開口部１１と袋体２の糞袋２２の開口部２４とが重なり合う。また図４に示すように、ホルダ１の縁保持部１２の内周に設けた隆起部１４と袋体２の鍔部２１の外周に設けた隆起部２３とが互いに掛かり合い、外れ止めとして機能する。
【００２４】
図２と図３に示した状態から、袋体２の糞袋２２をカバー３の中央部３３に添え、カバー３の両側の折り畳み片３５を折線から中央部３３側に畳むと、糞袋２２の先端側はカバー３により覆われる。この状態で中央部３３の先端の折り曲げ片３６側からカバー３を折り曲げ、ホルダ１側にカバー３を畳む。さらに側カバー３７を折線から折り曲げて中央部３３から９０゜の角度に立てる。この状態では、図５に示すように、全体がコンパクトに折り畳まれると共に、糞袋２２はカバー３で覆われ、且つその両側がカバー３の側フラップ３７で隠される。
【００２５】
図６は、犬に糞処理具を装着した状態である。ホルダ１の開口部１１が犬の肛門に合うように装着用バンド１６と補助バンド１８を使用して犬の尻部にホルダ１を取り付ける。この状態では、ホルダ１に放射状に複数の切込み１５が設けられているので、ホルダ１が犬の肛門の周りに違和感なく密着する。なお、犬の尻尾と肛門とが近いときは、ホルダ１の凹部１７に尻尾を通す。
【００２６】
この状態で犬が排便すると、犬の糞が袋体２の糞袋２２に入り、糞袋２２が糞の重さで延びて、カバー３が開く。これにより犬の排便を知ることが出来る。このとき、前述したように、ホルダ１の縁保持部１２の内周に設けた隆起部１４と袋体２の鍔部２１の外周に設けた隆起部２３とが互いに掛かり合い、外れ止めとして機能するため、袋体２がホルダ１から容易に外れない。
【００２７】
糞袋２２の中に犬の糞が入ったら、前述のようにして、体２の鍔部２１をホルダ１の縁保持部１２の挿入部１３から径方向にスライドさせて抜き取ることで、袋体２をホルダ１から取り外す。その後、袋体２の鍔部２１を折り曲げ、その切込み２５を開いて糞袋２２の開口部２４の付近を挟むことにより、糞袋２２を閉じることが出来る。
【００２８】
その後、新たな袋体２の鍔部２１をホルダ１の縁保持部１２の挿入部１３から径方向にスライドさせることで、同鍔部２１をホルダ１の縁保持部１２の中に挿入し、新たな袋体２をホルダに装着する。
犬の糞が入った袋体２は、そのまま別の袋等に入れて自宅へ持ち帰り、切込み２５を糞袋２２から外すことで、糞袋２２の開口部２４を開き、便器の中等に捨てる。
【図面の簡単な説明】
【００２９】
【図１】本発明による犬の糞処理具の一実施例を示すもので、各要素を分離し、上下を逆にして示した斜視図である。
【図２】同実施例の糞処理具の各要素を組み立てた状態を示す底面図である。
【図３】図２のＡ−Ａ線断面図である。
【図４】図３のＢ部拡大断面図である。
【図５】同実施例の糞処理具の各要素を組み立て、カバーを折り畳んだ状態を示す側面図である。
【図６】同実施例の糞処理具を犬に取り付けた状態の概略図である。
【符号の説明】
【００３０】
１    ホルダ
２    袋体
３    カバー
１１  ホルダの孔
１２  ホルダの縁保持部
１３  縁保持部の挿入部
１４  縁保持部の隆起部
１５  ホルダの切込み
２３  鍔部の隆起部
２１  袋体の鍔部
２２  袋体の糞袋
２４  糞袋の開口部
２５  鍔部の切込み
【要約】
【課題】  容易に犬の糞処理が可能となるような犬の糞処理具を提供する。
【解決手段】  犬の糞処理具は、犬の糞を収納する糞袋２２を有し、この糞袋２２の開口部２４の周りに円板リング状の鍔部２１を有する袋体２と、犬の肛門の周りに当てて装着される円板リング状のホルダ１とを有し、ホルダ１はその孔１１の周りに前記袋体２の鍔部２１を径方向に差し込んで保持する円板リング状の縁保持部１２を有し、この縁保持部１２は、その一部から前記袋体２の円板リング状の鍔部２１を着脱自在に挿入するため一部を開放した挿入部１３が形成され、さらにホルダ１の縁保持部１２の内周部分と袋体２の鍔部２１の外周部分とに、鍔部２１を縁保持部１２に挿入したときに互いに径方向に当たって掛かり合う隆起部１４、２３を有する。
【選択図】      図１
【図１】
0003577074.tif 000002
【図２】
0003577074.tif 000003
【図３】
0003577074.tif 000004
【図４】
0003577074.tif 000005
【図５】
0003577074.tif 000006
【図６】
0003577074.tif 000007